(57)【要約】爆発式玩具カプセル（１０）は、キャンディを包含する容器を形成する連結部をもつガス推進式の破裂式カプセルを有する。カプセル（１０）は、制限されたガス圧力抵抗性をもち、流体（Ｈ２Ｏ）と混ざるとガス（ＣＯ２）を発生する無害でおいしい味の粉末状混合物（炭酸カルシウム）を包含している。注入機構（１４）を使用して、流体（Ｈ２Ｏ）は、一方のカプセル部分（１１又は１２）の孔（１６）からカプセル（１０）に導入され、その中で粉末（ＣＯ２）と混ざる。カプセルの孔（１６）は、水をカプセル（１０）へ導入するのを助けるノズル（１７）を有することができる。注入機構（１４）に圧力を加えると、水は粉末を包含する密閉カプセル内へ放出され、反応が始まり、密閉カプセル中にガスが放出される。カプセル内のガス圧力の上昇が所定の「破裂点」に達すると、カプセルの２つの部分（１１、１２）の接続部が破断してカプセルは「爆発」又は破裂し、各部分が激しく分解されてキャンディが散乱することになる。
2004505739.tif 000002
【特許請求の範囲】
【請求項１】
一度取り付けると内部圧力が所定の内部圧力に達する場合に分離されるようになる、少なくとも２つの取り付け部を有するハウジングと、
前記ハウジング内に入っており、流体と反応してガスを発生することができる一定量の粉末状反応物と、
記流体を前記ハウジング内に注入する注入機構と、
を備える爆発式玩具であって、
前記注入機構により前記流体を前記ハウジング内に注入することで、前記流体は前記粉末状反応物と反応して前記ガスを発生し、
前記ハウジング内の内部圧力がガスの放出に起因して前記所定の内部圧力に達し、前記少なくとも２つのハウジング部が強制的に分離される、
ことを特徴とする爆発式玩具。
【請求項２】
前記粉末状反応物は、炭酸カルシウムを含むことを特徴とする請求項１に記載の爆発式玩具。
【請求項３】
前記流体は、水を含むことを特徴とする請求項１に記載の爆発式玩具。
【請求項４】
前記粉末状反応物及び前記流体は、無毒でおいしい味であることを特徴とする請求項１に記載の爆発式玩具。
【請求項５】
前記流体は、前記注入機構の負圧により前記注入機構に導入され、前記流体は、前記注入機構の正圧により前記注入機構から放出されることを特徴とする請求項１に記載の爆発式玩具。
【請求項６】
前記注入機構は、通気性のない風船、注射器機構、又は弾性中空バルブを含み、前記注入機構は、前記注入機構に入っている流体の出口を有することを特徴とする請求項５に記載の爆発式玩具。
【請求項７】
前記少なくとも２つのハウジングの第１部分は貫通する孔を備え、前記注入機構は、内部キャビティと、前記内部キャビティを外部と連通する出入口とを有し、前記注入機構の前記出入口と前記ハウジングの前記孔とは、前記注入機構内の前記流体が前記注入機構の前記出入口から前記ハウジング内へ前記ハウジングの前記孔を通って注入されるように一致するようになっていることを特徴とする請求項１に記載の爆発式玩具。
【請求項８】
前記ハウジングは、前記孔を取り巻くノズルを更に有し、前記注入機構の前記出入口は、前記ノズルと一致するようになっていることを特徴とする請求項７に記載の爆発式玩具。
【請求項９】
前記ハウジング内に入っているキャンディ商品を更に備え、前記キャンディ商品は、前記少なくとも２つのハウジング部分の分離によって前記ハウジングから放出されるようになることを特徴とする請求項１に記載の爆発式玩具。
【請求項１０】
少なくとも２つの部分で構成されるハウジングであって、前記部分は、相互に取り付けられて前記ハウジング内に密閉キャビティを形成でき、前記部分で形成される取り付け部は、所定の内部圧力のみに耐えることができるハウジングと、
前記ハウジング部の第１の部分を貫通して形成され、前記ハウジングの外部と前記ハウジングの前記密閉キャビティとを連通する孔と、
内部キャビティと、前記内部キャビティと連通する出入口とを有し、前記内部キャビティの中身を放出させることができる注入機構と、
前記ハウジングの前記密閉キャビティ内に保持される第１の反応材料と、
前記注入機構内に保持され、前記第１の反応材料と混ぜることで、化学的反応を引き起こしてガスを放出できる第２の反応材料と、
を備える爆発式装置であって、
前記注入機構は、前記第１の反応材料を前記ハウジングの前記キャビティに注入して前記ハウジングの前記密閉キャビティ内で前記第１の反応材料を混ぜて、化学的反応を引き起こして前記ハウジングの前記密閉キャビティ内にガスを放出させ、
前記ハウジングの前記密閉キャビティ内へのガスの放出で引き起こされる前記ハウジングの前記密閉キャビティ内の圧力は上昇し、前記ハウジング部の取り付け部は、前記所定の内部圧力において破損することを特徴とする爆発式装置。
【請求項１１】
前記ハウジングの前記少なくとも２つの部分は、摩擦嵌合により相互に取り付けられてシールを形成し、前記摩擦嵌合は、前記ハウジング内の所定の内部圧力で破壊されてバラバラになることを特徴とする請求項１０に記載の爆発式装置。
【請求項１２】
前記ハウジングの前記少なくとも２つの部分は、スナップ留めにより相互に取り付けられてシールを形成し、前記スナップ留めは、前記ハウジング内の所定の内部圧力で破壊されてバラバラになることを特徴とする請求項１０に記載の爆発式装置。
【請求項１３】
前記ハウジングは、ロケット、又はメディアキャラクタの頭部又は胴体形状であることを特徴とする請求項１０に記載の爆発式装置。
【請求項１４】
前記注入機構の前記出入口は、前記ハウジングの前記孔と一致して、前記注入機構と前記ハウジングの前記キャビティとの間にシールを形成するようになっていることを特徴とする請求項１０に記載の爆発式装置。
【請求項１５】
前記ハウジングの前記孔を取り巻くノズルを更に備えることを特徴とする請求項１０に記載の爆発式装置。
【請求項１６】
前記注入機構の前記出入口は、前記ノズルと一致して、前記注入機構と前記ハウジングの前記ノズルとの間にシールを形成するようになっていることを特徴とする請求項１５に記載の爆発式装置。
【請求項１７】
前記注入機構は、通気性のない風船、注射器機構、又は弾性中空バルブを含み、前記注入機構は、前記注入機構に入っている流体の出口を有することを特徴とする請求項１０に記載の爆発式装置。
【請求項１８】
前記第２の反応材料は、前記注入機構の前記内部キャビティ内に入っており、前記注入機構の圧力が上昇することで前記注入機構から放出されることを特徴とする請求項１０に記載の爆発式装置。
【請求項１９】
前記第２の反応材料は、前記注入機構からの負圧により前記注入機構吸の前記内部キャビティに吸い込まれることを特徴とする請求項１８に記載の爆発式装置。
【請求項２０】
前記ハウジングに入っているキャンディを更に備え、前記キャンディは、前記ハウジング部分の取り付け部が破損することで曝されることを特徴とする請求項１０に記載の爆発式装置。
【請求項２１】
前記第１の反応材料は、炭酸カルシウムと酸との混合物を含むことを特徴とする請求項１０に記載の爆発式装置。
【請求項２２】
前記第２の反応材料は、水を含むことを特徴とする請求項１０に記載の爆発式装置。
【請求項２３】
前記第１の反応材料及び第２の反応材料は、無毒でおいしい味であることを特徴とする請求項１０に記載の爆発式装置。
【請求項２４】
玩具を爆発させる方法であって、
前記玩具として少なくとも２つの部分から構成されるハウジングを準備する段階であって、前記ハウジング部分を取り付けると前記ハウジング内にキャビティが形成されるようになった前記段階と、
第１の反応材料を準備する段階と、
内部キャビティと出入口とを有する注入機構内に第２の反応材料を入れる段階であって、前記注入機構は、前記内部キャビティの中身を放出させることができ、前記第１及び第２の反応材料は、化学的反応を引き起こしてガスを発生するように選択する段階と、
前記ハウジングの前記各部分を取り付ける段階であって、前記第１の反応材料が入る密閉キャビティを形成して、前記ハウジング部分の取り付け部は所定の内部圧力に耐えるようになっている前記段階と、
前記第１の反応材料と混ぜて、化学的反応を引き起こして前記密閉ハウジングキャビティへガスを放出させるようになった、前記第２の反応材料を前記注入機構から前記密閉ハウジングキャビティに導入する段階と、
前記密閉ハウジングキャビティ内の前記ガスの放出により引き起こされる前記内部圧力が、前記所定の内部圧力に達することを可能にし、前記ハウジング部分の前記取り付け部が破壊されるようになった段階と、
を含む玩具を爆発させる方法。
【請求項２５】
第１の前記ハウジング部分は、それを貫通して形成される孔を有し、前記第２の反応材料を前記密閉ハウジングキャビティに導入する前記段階は、前記第２の反応材料を、前記孔を介して前記密閉ハウジングキャビティへ前記注入機構の前記出入口を通過させる段階を含むことを特徴とする前記請求項２４に記載の玩具を爆発させる方法。
【請求項２６】
前記第１のハウジング部分は、前記孔を取り巻くノズルを有し、前記第２の反応材料を前記密閉ハウジングキャビティに導入する前記段階は、前記第２の反応材料を、前記孔を介して前記密閉ハウジングキャビティへ前記注入機構の前記出入口を通過させる前に、前記注入機構の前記出入口を、前記ノズルに係合する段階を含むことを特徴とする前記請求項２４に記載の玩具を爆発させる方法。
【請求項２７】
前記第１の反応材料を準備する段階は、炭酸カリウム及び酸の混合体を含む第１の反応材料を準備する段階を含むことを特徴とする前記請求項２４に記載の玩具を爆発させる方法。
【請求項２８】
前記第１の反応材料を準備する段階は、無毒及びおいしい味である第１の反応材料を準備する段階を含むことを特徴とする前記請求項２４に記載の玩具を爆発させる方法。
【請求項２９】
前記第２の反応材料を入れる段階は、水を含む第２の反応材料を入れる段階を含むことを特徴とする前記請求項２４に記載の玩具を爆発させる方法。
【請求項３０】
前記第２の反応材料を入れる段階は、無毒及びおいしい味である第２の反応材料を入れる段階を含むことを特徴とする前記請求項２４に記載の玩具を爆発させる方法。
【請求項３１】
前記ハウジングの前記各部分を取り付ける前記段階の前に、複数のキャンディを前記ハウジング内に入れる段階を更に含むことを特徴とする前記請求項２４に記載の玩具を爆発させる方法。
【請求項３２】
前記第２の反応材料を前記注入機構に入れる前記段階は、
前記注入機構の前記出入口を一定量の前記第２の反応材料中に入れる段階と、
前記注入機構の内部キャビティ内の空気を追い出すように前記注入機構に外部圧力を加える段階と、
前記第２の反応材料を前記注入機構中に引き込むように、前記注入機構に加えた外部圧力を解放して、前記注入機構内に負圧を引き起こす段階と、
を含むことを特徴とする前記請求項２４に記載の玩具を爆発させる方法。
【請求項３３】
第１の前記ハウジング部分は、これを貫通して形成される孔を有し、前記第２の反応材料を前記注入機構に入れる前記段階は、
前記ハウジング部の内部と、前記注入機構の前記内部キャビティが流体連通するように、前記注入機構の前記出入口を、前記第１のハウジング部分に当接する段階と、
一定量の前記第２の反応材料を前記第１のハウジング部分に配置する段階と、
前記注入機構の内部キャビティ内の空気を追い出すように前記注入機構に外部圧力を加える段階と、
前記第２の反応材料を前記注入機構中に引き込むように、前記注入機構に加えた外部圧力を解放して、前記注入機構内に負圧を引き起こす段階と、
を含むことを特徴とする前記請求項２４に記載の玩具を爆発させる方法。
【請求項３４】
前記第２の反応材料を前記密閉ハウジングキャビティに導入する前記段階は、
前記注入機構の前記内部キャビティから前記第２の反応材料を放出させるように、前記注入機構に圧力を加える段階を含むことを特徴とする前記請求項２４に記載の玩具を爆発させる方法。
【発明の詳細な説明】
【０００１】
（技術分野）
本発明は、新規な商品及び子供向け玩具に関し、更に詳細には、キャンディと遊び商品とを組み合わせた玩具に関する。
【０００２】
（背景技術）
子供が大好きな２つの行動は、遊ぶこととキャンディを食べることであり、キャンディが遊び道具になり得るように、又は玩具が食用になり得るようにして２つの行動を組み合わせることが望ましい。１つの遊び道具としては「爆発」式のものがあるが、小規模であり子供には無害である。このような爆発は、非常に単純な部品を使って発生させることができる。
【０００３】
大きな負の還元電位をもつ金属（例えば、ナトリウム、カルシウム、ストロンチウム、バリウム、カリウム、及びリチウム）は、遊離形態で自然に発生せず、また単純酸化物の形態で発生することもないことが分かっている。これらの金属の単純酸化物は基本的なので、水や、大気中の二酸化炭素等の他の酸性酸化物と反応する。大気中に遊離ナトリウムを曝すと引き起こされる反応は以下のようになる。
４Ｎａ（ｓ）＋Ｏ２（ｓ）−−−−−＞２Ｎａ２Ｏ（ｓ）
Ｎａ２Ｏ（ｓ）＋ＣＯ２（ｓ）−−−−−＞Ｎａ２Ｃｏ３（ｓ）
【０００４】
水及び任意の酸要素と混合した炭酸ナトリウムは、ＣＯ２ガスを発生する。大部分のガスは少なくとも部分的に液体中に溶ける。所定ガスの所定溶液中への溶解度は、主として液体に接触するガスの分圧及び系の温度で決まる。
ガスの溶解度が高くなるにつれて圧力も高くなることは良く知られている。炭酸飲料は、１ａｔｍより僅かに高い圧力の二酸化炭素（ＣＯ２）の下でボトル詰めされている。ボトルのキャップが密封されている限りは、ビン内のＣＯ２の圧力は１ａｔｍ以上に保たれる。一旦ボトルを開けると、ソーダよりも高いＣＯ２の圧力は、大気中でのＣＯ２圧力、約０．０００３ａｔｍにすぐに釣り合う。その結果、ＣＯ２の溶解度が小さくなるが、このことは溶液から出てくるガスとしての泡の様子から明らかである。
【０００５】
二酸化炭素ガスの発生を明示する、子供向けの玩具に使用されている他のよく知られている例は、玩具の火山の模型である。この模型では、２つ又はそれ以上の反応剤（例えば、市販の重炭酸ナトリウム及び酢剤）を容器内で混合する。容器内で反応物が接触すると大量のガスが発生して、反応剤の混合物が膨張して容器から流出し、火山の模型の斜面を流れる。引用によって本明細書に組み込まれている、１９９７年１２月２日に発行されたＣｒｏｗｅｌｌ他の米国特許第５，６９２，９４５号において、第１及び第２の反応剤は、収束ノズルに連通する玩具内の容器で化合され、反応剤の混合物は噴火をまねた形態で収束ノズルから放出される。
【０００６】
（発明の開示）
本発明の目的は、子供が使用しても安全な爆発式の玩具を提供することである。
本発明の他の目的は、キャンディと組み合わせる爆弾としても使用できる「爆弾」式玩具を提供することである。
本発明の他の目的は、二酸化炭素ガスが発生される無害の反応を、子供向けの玩具と、随意的に子供のキャンディと組み合わせて、子供が楽しむことができるようにするものである。
【０００７】
本発明は、ガス推進式の破裂式カプセルをもつ玩具を提供する。ハウジング又はカプセルは、容器又はキャビティを形成するように取り付けられ又は接続される上側部及び下側部で形成され、カプセルは、制限されたガス圧力抵抗性を有し、通気性がなく又は堅固で、水と混ざるとガスを発生する粉末状混合体を保持する。水又は他の流体が粉末と混ざると、閉じたカプセル内で反応が起こり、カプセル内のＣＯ２ガス等の蓄積ガスはガス圧力の上昇を引き起こし、結果として、カプセルは、「爆発」又は破裂し、強制的に２つ又はそれ以上の部分に分解される。カプセルは、ガス圧力が上昇して「破裂点」で瞬時に解放されることができるよう設計されている。破裂点は所定の圧力限界点であり、破裂点ではカプセルの２つの部分の間の接続が内部カプセル圧力により破損するようになっている。
【０００８】
カプセルは、一方の部分を貫通して成形された小孔を有することが好ましく、包含された粉末又は特定の別の反応材料と混ぜるために、水又は特定の他の反応流体は、孔を通ってカプセル内に導入される。また、水等の反応流体又は材料のカプセルへの導入を助けるために、カプセルの孔はノズルを有している。流体は、注入機構によって導入されるが、注入機構は、弾性材料又は他の適切な手段で形成される、柔らかくて通気性がない風船、注射器、円筒形機構、中空バルブであってもよい。注入機構は、好ましくは直径約３から５ｍｍの小孔をもつ必要があり、カプセルの孔に当接する。流体で満たす場合、注入機構は、孔が下向きにされても流体が流出しない必要があり、これは流体の包含された表面張力と大気圧との組合せに起因する。キャビティ又は柔らかい部材である、流体で満たされた注入機構に圧力を加えると、流体は、粉末が満たされた密閉カプセル内に放出され、反応が始まり、密閉カプセル内にＣＯ２ガスが発生する。一旦カプセル内のガスが所定の「破裂点」まで上昇すると、カプセルの２つの部分の間の接続が破損してカプセルは「爆発」又は破裂する。
【０００９】
１つの実施形態において、反応材料は、食用に適し、おいしい味のする無毒なものである。従って、密閉ハウジング内で爆発が起こると、ユーザの口に触れることになるキャンディ又は任意の他の商品上に分散される、任意の反応材料は、害を及ぼすことはなく、摂取するとおいしい味である。
本発明の前記及び他の目的及び利点は、同じ符号は同一の部品を示す、添付の図面を参照して、以下の詳細な説明を検討すると明らかになるであろう。
【００１０】
（発明を実施するための最良の形態）
図面を参照すると、図１は、本発明の「爆発」構造の第１の実施形態を示す。カプセルとも呼ばれるハウジング１０は、複数の別個の部品を有している。実施形態において、カプセル１０は、上側部１１及び下側部１２の２つの部品を有している。上側部１１と下側部１２とは、上側部１１と下側部１２とを結合して密閉カプセルを形成するように、取り付け、連結、又は結合されている。もちろん、上側部１１及び下側部１２は、公知の他の多数の方法で結合することもできるであろう。図１に示すように、上側部１１及び下側部１２は、接続スリーブ１３で連結されており、接続スリーブ１３は、実質的に上側部１１又は下側部１２のいずれかの小径部分であり、所定の力を加えることで他の部分へ摩擦嵌合又はスナップ留めできる。
【００１１】
カプセル１０の材料は、本発明においては本質部分ではないが、カプセル１０は、軽量な成形材料で作ることができると考える。軽量な成形材料であれば、このような爆発による特定の速度で推進される場合に、内側からの適度な爆発で遠距離に吹き飛ばすことができ、また、害を及ぼすこともないであろう。カプセル１０は、ポリウレタン、ラバー、又はナイロン等の塑性材料で作ることが好ましく、ポリエチレン又はポリプロピレンであることが更に好まし。
【００１２】
同様に、カプセル１０の形状は、本発明においては本質部分ではないが、カプセル１０は、認識可能なマンガ、テレビ、又は映画のキャラクタの形状、又はこのようなキャラクタの頭部や顔の形状といった、子供を引きつける任意の形状又はデザインであってもよい。図１に示す実施形態において、カプセル１０の上側部１１は、任意の形状（例えば、コーン形、キューブ形、又は円形）とすることができる連続凸形の外側面をもつことが好ましいが、本実施形態では円形であり、ほぼ円形で下側部１２へ嵌合又はスナップ留めできる接続スリーブ１３を有している。カプセル１０の形状又は構造に関係なく、上側部１１及び下側部１２は、適切なシール、好ましくは摩擦嵌合を形成するために、接続点では同一の形状をもつ必要があることは明らかである。
【００１３】
もちろん、上側部１１及び下側部１２は、摩擦嵌合、スナップ留め、又は他の任意の適切な接続手段といった、公知の任意の多数の手段によって、相互に取り付けることができる。１つの実施形態において、図１に示すように、上側部１１及び下側部１２は、接続スリーブ１３を用いて摩擦嵌合により結合されるが、図示のように、接続スリーブ１３は、上側部１１の一部分であり、上側部１１の開口から延びており、下側部１２の開口よりも僅かに小径である。接続スリーブ１３の直径は、下側部１２の開口に接続スリーブを嵌合できるように、下側部１２の開口よりも小径であることが必要であり、これによりカプセルを閉じることができる。しかし、接続スリーブ１３の直径は、接続スリーブ１３を下側部１２の開口へ摩擦嵌合又はスナップ留めして、所定の力を加えてカプセルを密閉するためには、下側部１２の開口よりほんの僅かに小径であることが必要である。もちろん、接続スリーブ１３は、カプセルの下側部１２から延びて上側部１１の開口に摩擦嵌合することもできる。
【００１４】
カプセル１０の上側部１１及び下側部１２の取り付け部は、２つの部分の間にシールが形成され、ガスが取り付け部を通って密閉カプセル１０内から抜けないようになっている必要がある。特に、新規な商品では、多くの場合、完全な気密シールを得ることは難しいが、シールの周りから、密閉カプセル内で圧力の上昇を妨げると思われるガス量が抜けることを許すような著しい漏れがないことが重要である。回り止めタブ又はカプセル１０をこの形態で密閉することを可能にするような、カプセル１０の上側部１１及び下側部１２を取り付ける他の手段も使用できるであろう。
【００１５】
ハウジング又はカプセル１０は、「爆発」又は破裂するよう構成されており、ガス内圧によって２つ又はそれ以上の部品に分解されるが、好適な実施形態においては、カプセル１０内のＣＯ２ガス等のガス蓄積により引き起こされる。カプセル内部のガスは、例えば前述の任意の多数の公知の反応により生成でき、生成ガスは、無毒及び無害であることが好ましい。本発明において、ＣＯ２が好ましいガスは、第１の反応材料と第２の反応材料を混ぜることにより生成されるのが好ましい。
【００１６】
第１の反応材料は、第２の反応材料と混ぜると、無毒ガスを放出する任意の材料とすることができるが、レモン塩又はアスコルビン酸等の随意的な酸要素をもつ炭酸ナトリウム粉末であることが好ましく、水性液体と混ぜると、ＣＯ２を生成する反応を引き起こす。また、第１の反応材料は、粉末状又は乾質状である必要がある。
【００１７】
第２の反応材料は、第１の反応材料と混ぜると、無毒ガスを放出する任意の材料とすることができ。好適な実施形態において、第２の反応材料は、水又は果汁等の水性液体であるのが好ましい。
【００１８】
また、全ての反応材料は、好ましくは、食用に適し、無毒でおいしい味である必要があり、反応の由来する材料は、同様に、食用に適し、無毒でおいしい味（ガスであれば芳香）である必要がある。本発明は、子供が使用する場合が多いので、子供は、反応の前又はその後の反応材料を食べるか又は臭いを嗅ぎたいと思う場合もある。以下に説明するように、キャンディは、ハウジング又はカプセル１０が密閉される前に、ハウジング又はカプセル１０になる前の部品に添付されて、「爆発」後には周囲に散乱する場合には特にあてはまる。従って、これらの材料が、楽しもうとしている個々に害を及ぼすことは望ましくない。任意の含有物を反応材料に加えて、反応性を妨げることなく、おいしい味にすることができる。つまり、密閉されたハウジング内で爆発が起こると、ユーザの口に触れることになるキャンディ又は他の物品の上に分散する任意の反応材料は、摂取しても害を及ぼすことがなく、その上おいし味である。
【００１９】
このような反応が、密閉カプセル１０等の閉じた気密部材の中で起こると、密閉部材中へのＣＯ２ガスの放出により圧力が上昇する。カプセル１０の上側部１１と下側部１２との間のシールは、所定の内部「破裂点」に至る内部ガス上昇圧力に耐えるように十分強固に設計されている。内部「破裂点」圧力において、カプセル１０の上側部１１と下側部１２との間の接続は、内部圧力の上昇に起因して、典型的には突然外れて、２つの部分１１、１２は、強制的にバラバラに飛び出す。
【００２０】
「爆発」の所望の音の大きさ、及びカプセル部材又は包含されるキャンディ等の中身の所望の散乱度合いは、少なくとも部分的に、カプセル１０が破裂する所定の「破裂点」圧力により決まる。所定の「破裂点」圧力は、カプセル１０の上側部１１と下側部１２との間のシールの必須の気密性を決定でき、言い換えると、カプセル１０を押し開くのに必要な力を決定できる。つまり、カプセル１０の破裂が大きな音を発生して、カプセル１０の破裂が結果的に各部材及び中身を広範囲に散乱させる必要がある場合には、内部「破裂点」圧力を高く設定する必要がある。従って、カプセル１０の上側部１１及び下側部１２は、特にしっかりと嵌合して、大きな内部圧力を用いてバラバラに分割される必要がある。対照的に、カプセル１０の破裂が、比較的穏やかな音を発生して、中身が広範囲に散乱しないようにすることを望む場合には、内部「破裂点」圧力を幾分低く設定する必要がある。従って、カプセル１０の上側部１１及び下側部１２は、あまり堅くならないように適度に嵌合して、大きな内部圧力を用いずにバラバラに分割される必要がある。
【００２１】
一般的に、特に、手動で炭酸ナトリウム粉末及び水等の反応材料を充填し、その後、結果として起こる反応によるガスが抜ける前に、素早くカプセル１０の上側部１１及び下側部１２を固定することは難しい。この作業は、特に子供には難しく、反応材料の１つが、水等の流体の場合は尚更であろう。本発明は、この問題点を解決しており、カプセル１０の壁、好ましくは上側部１１を貫通する小さな孔１５を設けており、この孔を通して水等の少なくとも１つの反応材料をカプセル１０内に導入して、既にカプセル１０内に包含されている粉末等の他の反応材料と混ぜる。孔１５の直径は、好ましくは約１から４ｍｍ、更に好ましくは３ｍｍ未満である。最も好ましくは、図２に示すように、カプセル１０の上側部１１は、上側部１１の孔１５を取り巻いて外側に突出するノズル１７を有する。
【００２２】
反応材料は水等の流体であることが好ましく、注入機構１４を用いて孔１５からカプセル１０内に導入される。注入機構１４は、内部空間及びこの空間を注入機構の外部に連通させる穴をもつ、通気性のない風船、注射器、円筒型機構、又は中空バルブ等の任意の多数の公知の手段であってもよい。好ましくは、図２に示すように、注入機構１４は、注入機構１４内のキャビティを注入機構１４の外部に連通する出入口、穴、スリット又は孔１６を備える、柔らかくて、弾性があり、圧搾可能なバルブである。注入機構１４の外側に圧力を加えると、内部キャビティの中身は、孔１６を通って注入機構１４から放出する。
【００２３】
しかし、孔１６は、注入機構１４に圧力を加えない状態では、大気圧と注入機構１４に入っている流体の表面張力との組み合わせにより、孔１６が下を向いても、水が注入機構１４から流出又は滴下しないよう十分に小さいことが必要である。孔１６の直径は、好ましくは１から４ｍｍ、更に好ましくは３ｍｍ未満である。このような小さな直径は、流体の入った注入機構１４の孔１６を孔１５に接して置きカプセル１０の内部と連通状態にした場合に、注入機構１４を圧搾して流体をカプセル１０内へ放出させて反応を起こす前に、流体がカプセル１０内の反応粉末中へ不要に滴下するのを防ぐことができる。
【００２４】
注入機構１４の内部キャビティがカプセル１０内部と連通状態になるように、注入機構１４の孔１６を孔１５へ当接させて、注入機構１４内に入っている水又は他の反応流体をカプセル１０中へ導入するために、水、他の酸性液、又は反応流体を保持する注入機構１４は、カプセル１０に取り付けることができる。図３は、カプセル１０の上側部１１を内側から見た図であり、注入機構１４は、カプセル１０の上側部１１の孔１５において、上側部１１に取り付いている。本実施形態（ノズル１７はない）において、注入機構１４の先端部１８を孔１５内へ取り付けて、注入機構１４が孔１５から確実に外れないようにするのが好ましい。この取り付けは、流体の漏れがなく、又はカプセル１０の孔１５と注入機構１４の孔１６との間の流体（ガス又は液体）漏れが最低限になるように、ぴったり合う必要がある。
【００２５】
ノズル１７が存在する場合には、注入機構１４の孔１６は、ノズル１７の内部又は回りに配置することができ、その間の漏れを確実に防ぎ、流体（好ましくはガス及び液体）シールを形成する。先端部１８をノズル１７の回りに配置する場合には、注入機構１４の孔１６の直径は、孔１６がノズル１７の回り広がって緊密な流体（好ましくはガス及び液体）シールを形成するように、ノズル１７の外形よりも僅かに大きいことが必要である。注入機構１４の先端部１８をノズル１７の内部に配置する場合には、注入機構１４の先端部１８の外径は、先端部１８がノズル１７の孔１５に押し込んでノズル１７内で緊密なシールを形成するように、ノズル１７の内径よりも僅かに小さいことが必要である。
【００２６】
水又は他の反応流体は、以下のようにして注入機構１４へ充填する。最初に、一定量の水又は他の反応流体を取得して容器に入れる。例えば、注入機構１４を圧搾することで注入機構１４に圧力を加え、内部キャビティの空気を追い出す。その後、注入機構１４の出入口又は先端部１８は、水又は他の反応流体中に入れて、水又は他の反応流体を注入機構１４の内部キャビティ内に引き入れように、注入機構又はバルブ１４に加えた圧力を解放して、真空又は負圧を注入機構１４の内部キャビティ内に発生させる。注入機構１４及び水を充填した容器は流体連通状態にあるので、注入機構１４は空気に代わって水で満たされる。
【００２７】
また、注入機構１４が流体で満たされている間は、カプセル１０の上側部１１は、水又は他の反応流体を保持するための容器としても利用できる。最初に、注入機構１４の内部とカプセル１０の上側部１１の内部とが、好ましくは気密状態で流体連通状態にあるように、注入機構１４をカプセル１０の上側部１１の孔１５に対して取り付ける。上側部１１を逆さにして、上側部１１内のキャビティを、注入機構１４へ引き込む一定量の水又は他の反応流体を保持するのに利用する。水又は他の反応流体を逆さにしたカプセル１０の上側部１１へ入れ、そこから注入機構１４へ引き込む。次に、注入機構１４の空気を追い出すように注入機構１４に圧力を加える。その後、注入機構１４に加えた圧力を解放して、負圧を発生させ、水又は他の反応流体を注入機構１４の内部キャビティへ引き込む。流体で満たされている、注入機構１４とカプセル１０の上側部１１とは、流体連通状態にあるので、注入機構１４は、空気に代わって流体で満たされる。水を注入機構１４内へ引き込んだ後で、上側部１１と、そこに取り付けた注入機構１４を再度ひっくり返し、注入機構１４に引き込まれなかった上側部１１内に残った水を空にする。従って、カプセル１０を閉じると、水又は他の反応流体が誤って他の反応材料内に滴下して早期の反応が起こることがない。
【００２８】
カプセル１０の下側部１２は、粉末状であることが好ましい、予め計量した量の反応物（第１の反応材料）で満たす。本発明においては、前述のように、反応物は炭酸ナトリウム粉末である。その後、カプセル１０の上側部１１及び下側部１２は、嵌合させて密閉する。その後、前述のようにカプセル１０の上側部１１を利用して注入機構１４に充填する結果としての位置にない場合は、注入機構１４は、注入機構１４の内部とカプセル１０の上側部１１の内部とが、例えば前述のように流体連通し、更にカプセル１０の孔１５と注入機構１４の孔１６との間に流体シールが存在するように、カプセル１０の上側部１１の孔１５に対して取り付ける。もしくは、注入機構１４は、上側部１１を下側部１２に密閉する前に、孔１５に取り付けることもできる。カプセルの２つの部分は、水が粉末で満たされているカプセル部材内へ放出されないようスナップ留めする。
【００２９】
前述の装置の１つの利点は、水又は他の反応流体と、炭酸ナトリウム及び／又は他の酸性粉末といった第１の反応材料とを分離したままにでき、カプセルを密閉してスナップ留めした後でも、これらの成分が混ざるのを防止できる点にある。粉末は乾質状に保たれ自身で反応することはないので、粉末（炭酸ナトリウム及び酸）は水と接触した場合にのみ反応してガスを発生する。
【００３０】
更に、本装置では、水の流出及び滴下を起こすことなく、水を保持するカプセル部分を、粉末を保持するカプセル部分の上に配置できるので、意に反した早期の反応を防止できる。
【００３１】
更に、本装置では、ユーザは、好ましくは特定の水性混合物又は溶液である第２の反応材料と、好ましくは粉末である第１の反応材料とを好きな時間に混ぜることができ、その後すぐに（この時間は、使用する成分とカプセル１０の物理的形状に応じて１秒から数分まで様々である）カプセル１０は内部圧力により破裂して開く。
【００３２】
好きな時間に、注入機構又はバルブ１４に圧力を加えると、そこに入っている第２の反応材料（水又は反応流体）は、第１の反応材料（好ましくは粉末状）が入っているカプセル１０内へ放出される。第１の反応材料と第２の反応材料との反応により、好ましくはＣＯ２であるガスが発生する。カプセル１０内でＣＯ２が継続的に発生するので、カプセル１０内に圧力は、内部のガス圧力が内部「破裂点」圧力に等しい特定の圧力になるまで上昇する。内部「破裂点」圧力において、カプセル１０の上側部１１と下側部１２との間の接続が内部圧力により破断され、カプセル１０の上側部１１及び下側部１２は、強制的にバラバラに分解される。
【００３３】
カプセル１０は、キャンディと組み合わせてもよいが、一定量のキャンディは、カプセル１０の上側部１１と下側部１２との間のシールが、カプセル１０内の圧力上昇により強制的に破断される際に、キャンディが飛び出して散乱するようにカプセル１０内に置く。もしくは、他の実施形態において、キャンディは、カプセル１０の上側部１１と下側部１２とが強制的にバラバラに分解される際に、個々が遠くに散乱しないよう、破裂点温度を十分低く設定することによって、破裂したカプセルから遠くに散乱しないようにできる。他の実施形態において、キャンディは、カプセル１０の下側部１２内で粉末等の第１の反応材料の下に置き、キャンディは、カプセル１０内のガス圧力の上昇によってカプセル１０内で所定位置に保持される。多くの場合、カプセル１０の下側部１２は、地面又は地面の近くに置かれたままであり、カプセル１０の破裂により移動しないので、キャンディはカプセル１０内に入ったままであり散乱しないであろう。
【００３４】
このようにして爆発式玩具カプセルが提供される。当業者であれば、本発明は、例示的で本発明を限定しない前述の実施形態以外でも実施できることを理解できるであろう。
【図面の簡単な説明】
【図１】開いたカプセル及び取り付けられた注入機構を備える、本発明の第１の実施形態を示す斜視図である。
【図２】取り外された注入機構を備える、本発明のカプセルの上半分の分解組立図で示した斜視図である。
【図３】本発明のカプセルの上半分の下面図である。
【国際公開パンフレット】
2004505739.tif 000003
2004505739.tif 000004
2004505739.tif 000005
2004505739.tif 000006
2004505739.tif 000007
2004505739.tif 000008
2004505739.tif 000009
2004505739.tif 000010
2004505739.tif 000011
2004505739.tif 000012
2004505739.tif 000013
2004505739.tif 000014
2004505739.tif 000015
2004505739.tif 000016
2004505739.tif 000017
2004505739.tif 000018
2004505739.tif 000019
2004505739.tif 000020
2004505739.tif 000021
2004505739.tif 000022
2004505739.tif 000023
【国際調査報告】
2004505739.tif 000024
2004505739.tif 000025